(57)【特許請求の範囲】
【請求項１】
番組情報を取得する番組情報取得部と、
前記番組情報取得部で取得される前記番組情報に基づき、録画済み番組もしくは録画予約済み番組と録画予約の候補となっている録画予約候補番組とが同一内容の番組であるか否かの判断と、前記録画済み番組もしくは前記録画予約済み番組がコピーワンス番組であるか否かの判断と、を行う番組情報判断部と、
前記録画済み番組もしくは前記録画予約済み番組と前記録画予約候補番組とが同一内容の番組であると前記番組情報判断部で判断され、前記録画済み番組もしくは前記録画予約済み番組について、コピーワンス番組であると前記番組情報判断部で判断された場合に、前記録画予約候補番組の録画予約を行う録画予約管理部と、
を備える録画予約装置。
【請求項２】
前記番組情報判断部は、前記録画予約候補番組と同一内容の番組である前記録画済み番組および前記録画予約済み番組の全てについてコピーワンス番組であるか否かを判断し、
前記録画予約管理部は、前記番組情報判断部が前記録画予約候補番組と同一内容の番組である前記録画済み番組および前記録画予約済み番組の全てについてコピーワンス番組であると判断した場合に、前記録画予約候補番組の録画予約を行う
請求項１に記載の録画予約装置。
【請求項３】
前記番組情報判断部は、前記録画予約候補番組と同一内容の番組の保存数と録画予約数との合計数が、設定数未満であるか否かを判断し、
前記録画予約管理部は、前記番組情報判断部が前記合計数について前記設定数未満であると判断した場合に、前記録画予約候補番組の録画予約を行う
請求項１または請求項２に記載の録画予約装置。
【請求項４】
前記合計数について前記設定数以上であると前記番組情報判断部で判断された場合に、前記合計数について前記設定数以上である旨の報知を行う報知部
を備える請求項３に記載の録画予約装置。
【請求項５】
前記録画予約候補番組の録画予約を行わせるか否かの判断を求める報知を行う報知部と、
前記録画予約候補番組の録画予約を行わせるか否かの判断を受ける入力部とを備え、
前記報知部は、前記番組情報判断部が前記合計数について前記設定数以上であると判断した場合に、前記録画予約候補番組の録画予約を行わせるか否かの判断を求める報知を行い、
前記録画予約管理部は、前記入力部から録画予約を行う旨の入力がなされた場合に、前記録画予約候補番組の録画予約を行う
請求項３に記載の録画予約装置。
【請求項６】
請求項１〜５のいずれか一項に記載の録画予約装置と、
前記番組情報および前記録画済み番組を記憶する記憶部と
を備える録画装置。
【請求項７】
番組情報取得部が、番組情報を取得し、
番組情報判断部が、前記番組情報取得部で取得される前記番組情報に基づき、録画済み番組もしくは録画予約済み番組と録画予約の候補となっている録画予約候補番組とが同一内容の番組であるか否かを判断し、
番組情報判断部が、前記番組情報に基づき、前記録画済み番組もしくは前記録画予約済み番組がコピーワンス番組であるか否かを判断し、
録画予約管理部が、前記録画済み番組もしくは前記録画予約済み番組と前記録画予約候補番組とが同一内容の番組であると前記番組情報判断部で判断され、前記録画済み番組もしくは前記録画予約済み番組について、前記番組情報判断部でコピーワンス番組であると判断された場合に、前記録画予約候補番組の録画予約を行う
録画予約方法。
【請求項８】
前記番組情報判断部が、前記録画予約候補番組と同一内容の番組である前記録画済み番組および前記録画予約済み番組の全てについてコピーワンス番組であるか否かを判断し、
前記録画予約管理部が、前記番組情報判断部で前記録画予約候補番組と同一内容の番組である前記録画済み番組および前記録画予約済み番組の全てについてコピーワンス番組であると判断された場合に、前記録画予約候補番組の録画予約を行う
請求項７に記載の録画予約方法。
【請求項９】
前記番組情報判断部が、前記録画予約候補番組と同一内容の番組の保存数と録画予約数との合計数について設定数未満であるか否かを判断し、
前記録画予約管理部が、前記番組情報判断部で前記合計数について前記設定数未満であると判断された場合に、前記録画予約候補番組の録画予約を行う
請求項７または請求項８に記載の録画予約方法。
【請求項１０】
報知部が、前記合計数について前記設定数以上であると前記番組情報判断部で判断された場合に、前記合計数について前記設定数以上である旨の報知を行う
請求項９に記載の録画予約方法。
【請求項１１】
報知部が、前記番組情報判断部で前記合計数について前記設定数以上であると判断された場合に、前記録画予約候補番組の録画予約を行わせるか否かの判断を求める報知を行い、
入力部が、前記録画予約候補番組の録画予約を行わせるか否かの判断を受け、
前記録画予約管理部が、前記入力部から録画予約を行う旨の入力がなされた場合に、前記録画予約候補番組の録画予約を行う
請求項９に記載の録画予約方法。
【請求項１２】
録画予約装置が、請求項７〜１１のいずれか一項に記載の録画予約方法を実行し、
記憶部が、前記番組情報および前記録画済み番組を記憶する
録画方法。
【発明の詳細な説明】
【技術分野】
【０００１】
本発明は、テレビ番組の録画予約を行う録画予約装置、録画装置、録画予約方法、および録画方法に関するものである。
【背景技術】
【０００２】
従来の録画予約装置は、例えばシリーズ番組の中から、相互に内容が重複する番組、既に録画予約されている番組、既に録画済の番組を判別する判別手段を備え、判別手段により第１の番組が第２の番組と同一内容でないと判断された場合、第１の番組を録画予約番組リストに登録し、判別手段により第１の番組が第２の番組と同一内容であると判断された場合、第１の番組を録画予約番組リストに登録しないように制御する登録手段とを備えたものなどが開示されている。（例えば、特許文献１参照）。
【先行技術文献】
【特許文献】
【０００３】
【特許文献１】特開２００７−８８７６０号公報
【発明の概要】
【発明が解決しようとする課題】
【０００４】
このような録画予約装置にあっては、コピーワンス番組（コンテンツを１世代のみコピーできる仕組みを使用した番組）が既に録画または録画予約されている場合、ユーザがあえてコピーワンス番組と同一内容の番組を録画したい場合に、録画予約できなかった。それゆえ、例えばユーザが、録画されているコピーワンス番組をＤＶＤ（Ｄｉｇｉｔａｌ  Ｖｅｒｓａｔｉｌｅ  Ｄｉｓｋ）等に移動させて保管する場合に、ＤＶＤ等の作成が失敗すると録画されているコピーワンス番組も消えてしまう場合があり、コピーワンス番組の視聴ができなくなってしまうという問題点があった。
【０００５】
本発明は、上述のような問題を解決するためになされたもので、既に録画または録画予約されているコピーワンス番組と同一内容の番組について録画予約が可能な録画予約装置、録画装置、録画予約方法、および録画方法を提供することを目的とする。
【課題を解決するための手段】
【０００６】
本発明に係る録画予約装置は、番組情報を取得する番組情報取得部と、番組情報取得部で取得される番組情報に基づき、録画済み番組もしくは録画予約済み番組と録画予約の候補となっている録画予約候補番組とが同一内容の番組であるか否かの判断と、録画済み番組もしくは録画予約済み番組がコピーワンス番組であるか否かを判断と、を行う番組情報判断部と、録画済み番組もしくは録画予約済み番組と録画予約候補番組とが同一内容の番組であると番組情報判断部で判断され、録画済み番組もしくは録画予約済み番組について、コピーワンス番組であると番組情報判断部で判断された場合に録画予約候補番組の録画予約を行う録画予約管理部とを備えたものである。
【０００７】
本発明に係る録画装置は、番組情報を取得する番組情報取得部と、番組情報取得部で取得される番組情報に基づき、録画済み番組もしくは録画予約済み番組と録画予約の候補となっている録画予約候補番組とが同一内容の番組であるか否かの判断と、録画済み番組もしくは録画予約済み番組がコピーワンス番組であるか否かを判断と、を行う番組情報判断部と、録画済み番組もしくは録画予約済み番組と録画予約候補番組とが同一内容の番組であると番組情報判断部で判断され、録画済み番組もしくは録画予約済み番組について、コピーワンス番組であると番組情報判断部で判断された場合に録画予約候補番組の録画予約を行う録画予約管理部と、番組情報及び録画済み番組を記憶する記憶部とを備えたものである。
【０００８】
また、本発明に係る録画予約方法は、番組情報取得部が、番組情報を取得し、番組情報判断部が、番組情報取得部で取得される番組情報に基づき、録画済み番組もしくは録画予約済み番組と録画予約の候補となっている録画予約候補番組とが同一内容の番組であるか否かを判断し、番組情報判断部が、番組情報に基づき、録画済み番組もしくは録画予約済み番組がコピーワンス番組であるか否かを判断し、録画予約管理部が、録画済み番組もしくは録画予約済み番組と録画予約候補番組とが同一内容の番組であると前記番組情報判断部で判断され、録画済み番組もしくは録画予約済み番組について、番組情報判断部でコピーワンス番組であると判断された場合に録画予約候補番組の録画予約を行うものである。
【０００９】
また、本発明に係る録画方法は、番組情報取得部が、番組情報を取得し、番組情報判断部が、番組情報取得部で取得される番組情報に基づき、録画済み番組もしくは録画予約済み番組と録画予約の候補となっている録画予約候補番組とが同一内容の番組であるか否かを判断し、番組情報判断部が、番組情報に基づき、録画済み番組もしくは録画予約済み番組がコピーワンス番組であるか否かを判断し、録画予約管理部が、録画済み番組もしくは録画予約済み番組と録画予約候補番組とが同一内容の番組であると前記番組情報判断部で判断され、録画済み番組もしくは録画予約済み番組について、番組情報判断部でコピーワンス番組であると判断された場合に録画予約候補番組の録画予約を行い、記憶部が、番組情報及び録画済み番組を記録するものである。
【発明の効果】
【００１０】
本発明に係る録画予約装置、録画装置、録画予約方法、および録画方法によれば、既に録画または録画予約されているコピーワンス番組と同一内容の番組について録画予約することができる。
【図面の簡単な説明】
【００１１】
【図１】本発明の実施の形態１に係る録画装置の構成を示すブロック図である。
【図２】本発明の実施の形態１に係る録画装置における番組情報判断部のフローチャートである。
【図３】本発明の実施の形態１に係る録画装置の構成を示すブロック図である。
【図４】本発明の実施の形態２に係る録画装置における番組情報判断部のフローチャートである。
【図５】本発明の実施の形態３に係る録画装置の構成を示すブロック図である。
【図６】本発明の実施の形態３に係る録画装置における番組情報判断部のフローチャートである。
【図７】本発明の実施の形態３に係る録画装置における番組情報判断部のフローチャートの別例である。
【発明を実施するための形態】
【００１２】
実施の形態１．
本発明の実施の形態１に係る録画装置２０１を図１および図２により説明する。図において、同一の符号を付したものは、同一またはこれに相当するものであり、このことは、明細書の全文において共通することである。
【００１３】
図１は本発明の実施の形態１に係る録画装置２０１の構成を示すブロック図である。図１に示すように、本発明の実施の形態１に係る録画装置２０１は、テレビ番組を記憶部１に録画する装置であり、記憶部１および録画予約装置１０１を備える。また、録画予約装置１０１はテレビ番組の録画予約を行い、また記憶部１にテレビ番組の録画を行う装置である。録画予約装置１０１は、チューナー１２、ＣＰＵ１４（Ｃｅｎｔｒａｌ  Ｐｒｏｃｅｓｓｉｎｇ  Ｕｎｉｔ）、報知部１５、および入力部１０を有する。
【００１４】
ＣＰＵ１４は、メモリ（図示せず）に記憶されたプログラムを実行することにより、デコーダ・エンコーダ部１３、番組表生成部２、番組情報取得部３、番組情報判断部４、録画予約管理部５、表示制御部６、および音声制御部８の機能を実現する。なお、必ずしもＣＰＵ１４でこれらの機能を実現する必要はなく、例えばＧＰＵ（Ｇｒａｐｈｉｃｓ  Ｐｒｏｃｅｓｓｉｎｇ  Ｕｎｉｔ）が表示制御部６の機能を実現してもよい。また、報知部１５は、表示部７および音声再生部９を有する。また、ＣＰＵ１４が各種処理を実行するためのデータ保存領域および作業領域として使用されるメモリ（図示せず）は、記憶部１と別に設けられている。
【００１５】
録画装置２０１は、例えば記憶部１としてＨＤＤ（Ｈａｒｄ  ｄｉｓｋ  ｄｒｉｖｅ）を内蔵したテレビ、ＨＤＤレコーダー、またはＰＣ（パーソナルコンピュータ）などが挙げられる。また、録画予約装置１０１は、例えばＨＤＤを外付けするタイプのテレビなどが挙げられる。
【００１６】
また、スマートフォンまたはタブレット型端末などでは、ワンセグ（携帯電話・移動体端末向けの１セグメント部分受信サービス）を利用したテレビ番組の録画装置２０１として使用でき、同様に本発明を適用することができる。係る場合は記憶部１として通常メモリが用いられる。
【００１７】
チューナー１２は、アンテナ１１で受信した放送波から所望の放送局を選局し、選局された放送局の信号を取り出す。取り出された信号は、デコーダ・エンコーダ部１３において復号処理が行われた後、映像については表示制御部６、音声については音声制御部８でさらに各種処理が行われる。そして、表示制御部６の出力する信号に従い表示部７に映像が表示され、音声制御部８の出力する信号に従い音声再生部９で音声が再生される。
【００１８】
記憶部１は、ＨＤＤまたはメモリが通常用いられ、番組情報および録画済み番組を記憶する。ここで番組情報は、後述する番組表生成部２で生成された電子番組表の番組情報から得られ、テレビ番組の電子番組表（ＥＰＧ：Ｅｌｅｃｔｒｉｃ  Ｐｒｏｇｒａｍ  Ｇｕｉｄｅ）が有する各番組のタイトル、放送日時、チャンネル、コピー制限に関する情報、または番組の出演者情報などの各種情報である。また、録画済み番組は、記憶部１に録画されたテレビ番組である。本発明の実施の形態１に係る録画装置２０１は、記憶部１としてＨＤＤを用いている。
【００１９】
番組表生成部２は、チューナー１２から送信された信号を用いて、番組情報を有する電子番組表を生成する。生成された電子番組表の番組情報は、記憶部１で保存される。
【００２０】
番組情報取得部３は、記憶部１から録画予約の候補となっている録画予約候補番組の番組情報を取得し、さらに録画済み番組および録画予約済み番組の番組情報を記憶部１から取得する。なお、録画予約済み番組は、録画予約候補番組が録画予約され、後述する録画予約管理部５で管理されている番組を指す。また、番組情報取得部３は、インターネットなどの通信回線を利用することで番組表生成部２を介さずに電子番組表の番組情報を取得し、録画予約候補番組の番組情報を取得することも可能である。
【００２１】
録画予約の候補となっている録画予約候補番組は、例えば番組表生成部２が生成した電子番組表からユーザが入力部１０を利用し決定してもよい。また、キーワードなどを予め定めておき、録画予約管理部５が自動的に録画予約候補番組を決定するようにしてもよい。
【００２２】
番組情報判断部４は、番組情報取得部３で取得される番組情報に基づき、録画予約の候補となっている録画予約候補番組または録画予約候補番組と同一内容である録画済み番組もしくは録画予約済み番組がコピーワンス番組であるか否かを判断する。本発明の実施の形態１に係る録画装置２０１において番組情報判断部４は、番組情報取得部３で取得される番組情報に基づき、録画予約候補番組がコピーワンス番組であるか否かを判断し、判断結果を録画予約管理部５に伝える。
【００２３】
なお、録画予約候補番組と録画済み番組または録画予約済み番組とが同一内容の番組であるか否かの判断は、一般的に番組名、話数、番組の属性情報（例えば再放送か否か）などで判断される。同一内容の番組であるか否かの判断方法は、種々の手法で判断が可能であり、これに限られるものではない。
【００２４】
録画予約管理部５は、録画予約の管理を行い、番組情報判断部４の判断結果に従い録画予約候補番組の録画予約を行う。また、録画予約管理部５は、管理している録画予約の情報に従い、録画予約済み番組の録画を行う。本発明の実施の形態１に係る録画装置２０１において、録画予約管理部５は、録画予約候補番組がコピーワンス番組である場合に、録画予約候補番組の録画予約を行う。一方、録画予約管理部５は、録画済み番組または録画予約済み番組と同一内容の録画予約候補番組がコピーワンス番組でない場合は録画予約候補番組の録画予約を行わない。
【００２５】
また、番組情報取得部３が録画済み番組および録画予約済み番組の番組情報を取得できるようにする必要がある。そこで、録画予約管理部５は管理している録画予約済み番組の録画予約情報を記憶部１に記憶されている番組情報と関連付けて記憶させる。また、録画予約管理部５は、録画予約済み番組の録画を行う際に、記憶部１に記憶されている番組情報と関連付けて記憶させる。よって、番組情報取得部３は、録画済み番組および録画予約済み番組の番組情報を容易に取得することができる。
【００２６】
なお、記憶部１とは別に設けられたメモリ（図示せず）に番組情報または録画予約管理部５の管理情報を保存するようにしてもよい。また、記憶部１がメモリであった場合に、録画予約装置１０１は記憶部１とは別に設けられたメモリ（図示せず）を有さず、記憶部１のメモリをＣＰＵ１４の実行などに用いる構成としてもよい。
【００２７】
報知部１５は、表示部７および音声再生部９を有しており、表示部７での表示または音声再生部９で再生された音声を利用して、ユーザに報知を行う。
【００２８】
表示部７は、液晶ディスプレイ、有機ＥＬディスプレイ、またはＰＤＰ（Ｐｌａｓｍａ  Ｄｉｓｐｌａｙ  Ｐａｎｅｌ）などの表示画面である。表示部７は、表示制御部６の制御によりテレビ番組の映像、電子番組表、または録画予約の操作画面などを表示する。
【００２９】
音声再生部９は、スピーカーまたはイヤホンなどであり、音声制御部８の制御によりテレビ番組の音声または操作音などを再生する。
【００３０】
入力部１０は、例えばユーザが操作するテレビリモコンなどからの信号を受信する受信装置である。表示制御部６が電子番組表を表示部７に表示させた場合に、ユーザは電子番組表を見ながらテレビリモコンで入力部１０を介して電子番組表を操作することができる。ユーザの操作に応じて、音声制御部８は操作音をスピーカーから発するようにしてもよい。なお、スマートフォンまたはタブレット型端末などにおいて、表示部７がタッチパネルである場合は、表示部７が入力部１０を兼ねていてもよい。
【００３１】
次に、本発明の実施の形態１に係る録画装置２０１の動作について図２を用いて説明する。図２は、本発明の実施の形態１に係る録画装置２０１における番組情報判断部４のフローチャートである。
【００３２】
ユーザによる録画予約操作または録画予約管理部５の処理により録画予約候補番組が決定されると、図２に示す番組情報判断部４のフローチャートが開始される。ステップＳＴ１０１において番組情報判断部４が録画予約の候補となっている録画予約候補番組、録画済み番組、および録画予約済み番組の番組情報を取得する。
【００３３】
ステップＳＴ１０２において番組情報判断部４は、番組情報取得部３で取得される番組情報に基づき、録画済み番組または録画予約済み番組と録画予約候補番組とが同一内容の番組であるか否かを判断する。録画済み番組または録画予約済み番組と録画予約候補番組とが同一内容の番組でないと判断した場合にステップＳＴ１０３に進み、録画済み番組または録画予約済み番組と録画予約候補番組とが同一内容の番組であると判断した場合にステップＳＴ１０４に進む。
【００３４】
ステップＳＴ１０３において番組情報判断部４は、録画予約候補番組の録画予約を行う旨の判断結果を録画予約管理部５に通知し、番組情報判断部４のフローチャートが終了する。
【００３５】
ステップＳＴ１０４において番組情報判断部４は、録画予約候補番組がコピーワンス番組あるか否かを番組情報から判断する。番組情報判断部４は、録画予約候補番組がコピーワンス番組であると判断した場合にステップＳＴ１０３に進み、録画予約候補番組がコピーワンス番組でないと判断した場合にステップＳＴ１０５に進む。
【００３６】
ステップＳＴ１０５において番組情報判断部４は、録画予約候補番組の録画予約を行わない旨の判断結果を録画予約管理部５に通知し、番組情報判断部４のフローチャートが終了する。
【００３７】
以上のとおり、本発明の実施の形態１における録画予約装置１０１では、番組情報を取得する番組情報取得部３と、番組情報取得部３で取得される番組情報に基づき、録画予約の候補となっている録画予約候補番組がコピーワンス番組であるか否かを判断する番組情報判断部４と、録画予約候補番組について、コピーワンス番組であると番組情報判断部４で判断された場合に録画予約候補番組の録画予約を行う録画予約管理部５とを備えることを特徴としている。
【００３８】
また、本発明の実施の形態１における録画予約方法では、番組情報取得部３が、番組情報を取得し、番組情報判断部４が、番組情報取得部３で取得される番組情報に基づき、録画予約の候補となっている録画予約候補番組についてコピーワンス番組であるか否かを判断し、録画予約管理部５が、録画予約候補番組について、番組情報判断部４でコピーワンス番組であると判断された場合に録画予約候補番組の録画予約を行うことを特徴としている。
【００３９】
また、本発明の実施の形態１における録画装置２０１では、番組情報を取得する番組情報取得部３と、番組情報取得部３で取得される番組情報に基づき、録画予約の候補となっている録画予約候補番組がコピーワンス番組であるか否かを判断する番組情報判断部４と、録画予約候補番組について、コピーワンス番組であると番組情報判断部４で判断された場合に録画予約候補番組の録画予約を行う録画予約管理部５と、番組情報および録画済み番組を記憶する記憶部１とを備えることを特徴としている。
【００４０】
また、本発明の実施の形態１における録画方法では、番組情報取得部３が、番組情報を取得し、番組情報判断部４が、番組情報取得部３で取得される番組情報に基づき、録画予約の候補となっている録画予約候補番組についてコピーワンス番組であるか否かを判断し、録画予約管理部５が、録画予約候補番組について、番組情報判断部４でコピーワンス番組であると判断された場合に録画予約候補番組の録画予約を行い、記憶部１が番組情報および録画済み番組を記憶することを特徴としている。
【００４１】
このような構成によれば、既に録画または録画予約されているコピーワンス番組と同一内容の番組について録画予約が可能な録画予約装置１０１または録画予約方法を得ることができる。これにより、例えばユーザが、既に録画されているコピーワンス番組をＤＶＤ等に移動させて保管する場合に、ＤＶＤ等の作成が失敗し既に録画されているコピーワンス番組が消えてしまったとしても、同一内容の番組が保存されているため、ユーザは同一内容の番組の視聴が可能となる。
【００４２】
なお、図２において本発明の実施の形態１に係る録画装置２０１における番組情報判断部４のフローチャートを例示したが、ステップＳＴ１０２とステップＳＴ１０４の判断の順序はこれに限られず逆であってもよい。例えば、番組情報判断部４は、録画予約候補番組がコピーワンス番組であるか否かを番組情報から判断した後に、番組情報取得部３で取得される番組情報に基づき、録画済み番組または録画予約済み番組と録画予約候補番組とが同一内容の番組であるか否かを判断してもよい。
【００４３】
ステップＳＴ１０２とステップＳＴ１０４の判断の順序を逆にした場合、番組情報判断部４が録画予約候補番組についてコピーワンス番組と判断すると、録画予約候補番組は録画予約される。一方、番組情報判断部４が録画予約候補番組についてコピーワンス番組でないと判断し、さらにコピーワンスでないと判断された録画予約候補番組と録画済み番組または録画予約済み番組とが同一内容の番組でないと判断した場合に、コピーワンスでないと判断された録画予約候補番組は録画予約される。なお、番組情報判断部４がコピーワンスでないと判断された録画予約候補番組と録画済み番組または録画予約済み番組とが同一内容の番組と判断した場合、コピーワンスでないと判断された録画予約候補番組は録画予約されない。
【００４４】
また、例えば、スマートフォンまたはタブレット型端末などを録画予約装置１０１として用い、インターネットなどの通信回線から番組情報取得部３が番組情報を取得し、番組情報判断部４で録画予約候補番組がコピーワンス番組であるか否の判断を行っても良い。そして、コピーワンス番組であると番組情報判断部４で判断された場合に、録画予約管理部５が、録画予約候補番組の録画予約を行い、通信回線を介して記憶部１を備えたテレビなどに録画予約候補番組を録画させるようにしてもよい。
【００４５】
実施の形態２．
本発明の実施の形態２に係る録画装置２０２を図３および図４により説明する。なお、実施の形態１に係る録画装置２０１においては、録画予約候補番組がコピーワンス番組であるか否かを判断する場合を説明した。本発明の実施の形態２に係る録画装置２０２では、録画予約候補番組と同一内容である録画済み番組および録画予約済み番組がコピーワンス番組であるか否かを判断する場合の変形例について説明する。以下に実施の形態１と異なる点を中心に説明し、同一または対応する部分についての説明は省略する。
【００４６】
図３は本発明の実施の形態２に係る録画装置２０２の構成を示すブロック図である。図２に示すように、本発明の実施の形態２に係る録画装置２０２は記憶部１と録画予約装置１０２とを備え、録画予約装置１０２は、チューナー１２、ＣＰＵ１４ａ、報知部１５、および入力部１０を有する。
【００４７】
図３に示す本発明の実施の形態２に係る録画装置２０２では、番組情報判断部４ａが録画予約候補番組と同一内容である録画済み番組および録画予約済み番組について、コピーワンス番組であるか否かを判断する。
【００４８】
録画済み番組または録画予約済み番組がコピーワンス番組として放送されていたとしても、同一内容の番組が再放送される場合に、コピーワンスのコピーガードを設けずに放送される場合がある。本発明の実施の形態２に係る録画装置２０２では、録画済み番組または録画予約済み番組と同一内容の録画予約候補番組がコピーワンス番組でない状態で放送された場合においても、適切に録画予約を行うことができる録画装置２０２を提供する。
【００４９】
具体的には、本発明の実施の形態２に係る録画装置２０２において、録画予約候補番組と同一内容である録画済み番組または録画予約済み番組についてコピーワンス番組である場合に、録画予約管理部５は録画予約候補番組の録画予約を行う。一方、録画予約候補番組と同一内容である録画済み番組または録画予約済み番組についてコピーワンス番組でない場合に、録画予約管理部５は録画予約候補番組の録画予約を行わない。
【００５０】
また、本発明の実施の形態２に係る録画装置２０２において、録画予約管理部５は、録画予約候補番組と同一内容である録画済み番組または録画予約済み番組がコピーワンス番組であると番組情報判断部４ａで判断された場合に、録画予約候補番組の録画予約を行う。一方、録画予約管理部５は、録画予約候補番組と同一内容である録画済み番組または録画予約済み番組がコピーワンス番組でないと番組情報判断部４ａで判断された場合は録画予約候補番組の録画予約を行わない。
【００５１】
本発明の実施の形態２に係る録画装置２０２の動作について図４を用いて説明する。図４は、本発明の実施の形態２に係る録画装置２０２における番組情報判断部４ａのフローチャートである。
【００５２】
なお、図４に示すステップＳＴ２０１〜ステップＳＴ２０３およびステップＳＴ２０５は、図２のステップＳＴ１０１〜ステップＳＴ１０３およびステップＳＴ１０５にそれぞれ対応し、同一の内容である。
【００５３】
ステップＳＴ２０４において番組情報判断部４ａは、ステップＳＴ２０２で録画予約候補番組と同一内容の番組と判断された録画済み番組および録画予約済み番組について、番組情報取得部３で取得される番組情報に基づき、コピーワンス番組であるか否かを判断する。ステップＳＴ２０４において番組情報判断部４ａは、録画予約候補番組と同一内容の番組と判断された録画済み番組および録画予約済み番組がコピーワンス番組であると判断した場合にステップＳＴ２０３に進み、録画予約候補番組と同一内容の番組と判断された録画済み番組および録画予約済み番組がコピーワンス番組でないと判断した場合にステップＳＴ２０５に進む。
【００５４】
本実施の形態２において、番組情報判断部４ａは録画予約候補番組と同一内容の番組である録画済み番組および録画予約済み番組の全てがコピーワンス番組であるか否かを判断する。録画予約候補番組と同一内容の番組である録画済み番組および録画予約済み番組の全てがコピーワンス番組である場合に、番組情報判断部４ａはコピーワンス番組であると判断する。一方で、録画予約候補番組と同一内容の番組である録画済み番組および録画予約済み番組の全てがコピーワンス番組でない場合は、番組情報判断部４ａはコピーワンス番組でないと判断する。
【００５５】
すなわち、番組情報判断部４ａがコピーワンス番組であると判断した場合にステップＳＴ２０３に進み、ステップＳＴ２０３において番組情報判断部４ａが録画予約候補番組の録画予約を行うと判断する。一方、番組情報判断部４ａがコピーワンス番組でないと判断した場合にステップＳＴ２０５に進み、ステップＳＴ２０５において番組情報判断部４ａが録画予約候補番組の録画予約を行わないと判断する。
【００５６】
ただし、これに限られるものではなく、番組情報判断部４ａは、録画予約候補番組と同一内容の番組と判断された録画済み番組および録画予約済み番組の一部がコピーワンス番組である場合に、コピーワンス番組であると判断しステップＳＴ２０３に進むようにしてもよい。どちらの設定を採用するかは、ユーザが任意に設定することができる。
【００５７】
なお、ステップＳＴ２０２とステップＳＴ２０４の判断の順序はこれに限られるものではなく、ステップＳＴ２０２とステップＳＴ２０４の判断の順序を入れ替えてもよい。番組情報判断部４ａは、録画済み番組および録画予約済み番組について全てコピーワンス番組か否かの判断を行った後に、コピーワンス番組と判断された録画済み番組および録画予約済み番組が、録画予約候補番組と同一内容の番組であるか否かの判断を行ってもよい。
【００５８】
ステップＳＴ２０２とステップＳＴ２０４の判断の順序を入れ替える場合、番組情報判断部４ａは、録画済み番組および録画予約済み番組について全てコピーワンス番組か否かの判断を行い、コピーワンス番組である録画済み番組および録画予約済み番組を抽出する。番組情報判断部４ａは、抽出されたコピーワンス番組である録画済み番組および録画予約済み番組と、録画予約候補番組とが同一か否かを判断する。
【００５９】
つまり、番組情報判断部４ａは、抽出されたコピーワンス番組である録画済み番組および録画予約済み番組に、録画予約候補番組と同一内容の番組が存在すると判断した場合、録画予約候補番組は録画予約される。一方、番組情報判断部４ａは、抽出されたコピーワンス番組である録画済み番組および録画予約済み番組に、録画予約候補番組と同一内容の番組が存在しないと判断した場合、録画予約候補番組は録画予約されないといった、構成にしてもよい。
【００６０】
以上のとおり、本発明の実施の形態２に係る録画予約装置１０２によると、番組情報を取得する番組情報取得部３と、番組情報取得部３で取得される番組情報に基づき、録画予約候補番組と同一内容である録画済み番組または録画予約済み番組がコピーワンス番組であるか否かを判断する番組情報判断部４ａと、録画予約候補番組と同一内容である録画済み番組または録画予約済み番組について、コピーワンス番組であると番組情報判断部４ａで判断された場合に録画予約候補番組の録画予約を行う録画予約管理部５とを備えることを特徴としている。
【００６１】
また、本発明の実施の形態２に係る録画予約方法によると、番組情報取得部３が、番組情報を取得し、番組情報判断部４ａが、番組情報取得部３で取得される番組情報に基づき、録画予約候補番組と同一内容である録画済み番組または録画予約済み番組がコピーワンス番組であるか否かを判断し、録画予約管理部５が、録画予約候補番組と同一内容である録画済み番組または録画予約済み番組について、番組情報判断部４ａでコピーワンス番組であると判断された場合に録画予約候補番組の録画予約を行うことを特徴としている。
【００６２】
また、本発明の実施の形態２に係る録画装置２０２によると、番組情報を取得する番組情報取得部３と、番組情報取得部３で取得される番組情報に基づき、録画予約候補番組と同一内容である録画済み番組または録画予約済み番組がコピーワンス番組であるか否かを判断する番組情報判断部４ａと、録画予約候補番組と同一内容である録画済み番組または録画予約済み番組について、コピーワンス番組であると番組情報判断部４ａで判断された場合に録画予約候補番組の録画予約を行う録画予約管理部５と、番組情報および録画済み番組を記憶する記憶部１とを備えることを特徴としている。
【００６３】
また、本発明の実施の形態２に係る録画方法によると、番組情報取得部３が、番組情報を取得し、番組情報判断部４ａが、番組情報取得部３で取得される番組情報に基づき、録画予約候補番組と同一内容である録画済み番組または録画予約済み番組がコピーワンス番組であるか否かを判断し、録画予約管理部５が、録画予約候補番組と同一内容である録画済み番組または録画予約済み番組について、番組情報判断部４ａでコピーワンス番組であると判断された場合に録画予約候補番組の録画予約を行い、記憶部１が、番組情報および録画済み番組を記憶することを特徴としている。
【００６４】
このような構成によれば、既に録画または録画予約されているコピーワンス番組と同一内容の番組について録画予約が可能な録画予約装置１０２または録画予約方法を得ることができる。
【００６５】
既に録画または録画予約されているコピーワンス番組と同一内容の番組が再放送される場合に、再放送される番組がコピーワンスのコピーガードを設けずに放送されたとしても、録画予約を行う旨の判断を行うことができる。
【００６６】
よって、例えばユーザが、既に録画されているコピーワンス番組をＤＶＤ等に移動させて保管する場合に、ＤＶＤ等の作成が失敗し既に録画されているコピーワンス番組が消えてしまったとしても、同一内容の番組が保存されているため、ユーザは同一内容の番組の視聴が可能となる効果が得られる。
【００６７】
また、本発明の実施の形態２に係る録画予約装置１０２または録画装置２０２によると、番組情報判断部４ａは、録画予約候補番組と同一内容の番組である録画済み番組および録画予約済み番組の全てについてコピーワンス番組であるか否かを判断し、録画予約管理部５は、番組情報判断部４ａが録画予約候補番組と同一内容の番組である録画済み番組および録画予約済み番組の全てについてコピーワンス番組であると判断した場合に、録画予約候補番組の録画予約を行う構成とすることもできる。
【００６８】
また、本発明の実施の形態２に係る録画予約方法または録画方法によると、番組情報判断部４ａが、録画予約候補番組と同一内容の番組である録画済み番組および録画予約済み番組の全てについてコピーワンス番組であるか否かを判断し、録画予約管理部５が、番組情報判断部４ａで録画予約候補番組と同一内容の番組である録画済み番組および録画予約済み番組の全てについてコピーワンス番組であると判断された場合に、録画予約候補番組の録画予約を行うこともできる。
【００６９】
このような構成によれば、録画予約候補番組と同一内容の番組である録画済み番組および録画予約済み番組が既に記憶部１に存在し、かつ、同一内容の番組である録画済み番組および録画予約済み番組の全てがコピーワンス番組である場合、録画予約候補番組をさらに録画する必要性が乏しく、余計な録画を防ぐことができる。よって、記憶部１の記憶領域の節約をすることができる。
【００７０】
実施の形態３．
本発明の実施の形態３に係る録画装置２０３を図５〜図７により説明する。なお、本発明の実施の形態３では、同一内容の番組の保存数と録画予約数との合計数に制限が設けられている場合について説明する。録画予約の判断に報知部１５および入力部１０を利用した場合の変形例について説明する。以下に実施の形態２と異なる点を中心に説明し、同一または対応する部分についての説明は省略する。
【００７１】
上述のとおり、実施の形態２の録画装置２０２を用いると、ユーザが既に録画されているコピーワンス番組である録画済み番組をＤＶＤ等に移動させて保管する場合に、ＤＶＤ等の作成が失敗し録画済み番組が消えてしまったとしても、録画済み番組と同一内容の番組を保存することで、ユーザは同一内容の番組の視聴が可能となる。
【００７２】
一方で、ＤＶＤ等の作成の失敗が機器の故障によるものである場合は、ユーザが再度ＤＶＤ等の作成を行っても失敗する可能性が高く、ユーザは不意に記憶部１に保存されている同一内容の複数の録画済み番組を続けて失ってしまう恐れがある。それゆえ、録画予約候補番組と同一内容の番組について、記憶部１に録画された保存数と録画予約数との合計数が多い方が、ユーザが同一内容の番組の視聴ができなくなるリスクを回避できる。しかし合計数が多いと、記憶部１の記憶領域をより多く占有してしまう。ここで、保存数は録画予約候補番組と同一内容の番組と判断された録画済み番組の数、録画予約数は、録画予約候補番組と同一内容の番組と判断された録画予約済み番組の数である。
【００７３】
そこで、本発明の実施の形態３に係る録画装置２０３において、番組情報判断部４ｂは、録画予約候補番組と同一内容の番組の保存数と録画予約数との合計数に制限を設け、合計数が予め定められた設定数未満であるか否かを判断する。合計数が予め定められた設定数未満の場合、録画予約管理部５は録画予約候補番組について録画予約を行う。
【００７４】
一方、合計数が予め定められた設定数以上である場合、本発明の実施の形態３では番組情報判断部４ｂは録画予約候補番組について録画予約を行うか否かについてユーザに判断を求める。ただし、番組情報判断部４ｂは、ユーザに判断を求めずに録画予約候補番組の録画予約を行わない旨を録画予約管理部５に通知し、録画予約管理部５が録画予約候補番組の録画予約をしないようにしてもよい。
【００７５】
また、合計数が予め定められた設定数以上であり、ユーザから録画をさらに行う旨の入力が入力部１０を介して受信した場合、録画予約管理部５は録画予約候補番組の録画予約を行う。一方、合計数が予め定められた設定数以上であり、ユーザから録画を行なわない旨の入力が入力部１０を介して受信した場合、録画予約管理部５は録画予約候補番組の録画予約を行わない。
【００７６】
図５は本発明の実施の形態３に係る録画装置２０３の構成を示すブロック図である。図５に示すように、本発明の実施の形態３に係る録画装置２０３は記憶部１と録画予約装置１０３とを備え、録画予約装置１０３は、チューナー１２、ＣＰＵ１４ｂ、報知部１５、および入力部１０を有する。
【００７７】
報知部１５は、表示部７、音声制御部８で構成され、録画予約候補番組の録画予約を行わせるか否かの判断を求める報知を行う。入力部１０は、録画予約候補番組の録画予約を行わせるか否かのユーザの判断が入力される。
【００７８】
次に、本発明の実施の形態３に係る録画装置２０３の動作について図６を用いて説明する。図６は、本発明の実施の形態３に係る録画装置２０３における番組情報判断部４ｂのフローチャートである。
【００７９】
なお、図６に示すステップＳＴ３０１〜ステップＳＴ３０４およびステップＳＴ３０８は、図４のステップＳＴ２０１〜ステップＳＴ２０４およびステップＳＴ２０５にそれぞれ対応し、同一の内容である。
【００８０】
ステップＳＴ３０４において番組情報判断部４ｂは、ステップＳＴ３０２で録画予約候補番組と同一内容の番組と判断された録画済み番組および録画予約済み番組について、番組情報取得部３で取得される番組情報に基づき、コピーワンス番組であるか否かを判断する。番組情報判断部４ｂは、録画予約候補番組と同一内容の番組と判断された録画済み番組および録画予約済み番組がコピーワンス番組であると判断した場合にステップＳＴ３０５に進み、録画予約候補番組と同一内容の番組と判断された録画済み番組および録画予約済み番組がコピーワンス番組でないと判断した場合にステップＳＴ３０８に進む。
【００８１】
ステップＳＴ３０５において番組情報判断部４ｂは、録画予約候補番組と同一内容の番組の保存数と録画予約数との合計数が、設定数未満であるか否かを判断する。録画予約候補番組と同一内容の番組の保存数と録画予約数との合計数が、設定数未満であると番組情報判断部４ｂが判断した場合にステップＳＴ３０３に進み、録画予約候補番組と同一内容の番組の保存数と録画予約数との合計数が、設定数以上であると番組情報判断部４ｂが判断した場合にステップＳＴ３０６に進む。なお、設定数はユーザにより任意に変更可能としてもよい。
【００８２】
ステップＳＴ３０６において番組情報判断部４ｂは、録画予約候補番組と同一内容の番組の保存数と録画予約数との合計数が設定数以上である旨、および設定数以上であるが録画予約候補番組についてさらに録画を行うか否かの選択肢をユーザに報知するための報知信号を出力する。報知信号は報知部１５の表示制御部６および音声制御部８が受信し、報知信号の内容に従い表示制御部６は表示部７の表示を制御し、音声制御部８はスピーカーによる音声の再生を制御する。これにより、ユーザに報知を行うことができる。
【００８３】
ステップＳＴ３０７において、報知を受けたユーザが入力部１０を介して設定数以上でありさらに録画を行うか否かの入力を行い、番組情報判断部４ｂが入力部１０から録画予約候補番組について設定数以上でありさらに録画を行う旨の信号を受信したときはステップＳＴ３０３に進み、番組情報判断部４ｂが入力部１０から録画予約候補番組についてさらに録画を行わない旨の信号を受信したときはステップＳＴ３０８に進む。
【００８４】
また図６のフローチャートの変形例を、図７を用いて説明する。図７は、本発明の実施の形態３に係る録画装置２０３における番組情報判断部４ｂのフローチャートの別例である。図７のフローチャートは、図６のステップＳＴ３０７におけるユーザの判断が省略される場合である。そのため、図６のステップＳＴ３０７に対応するステップは図７において省略されている。なお、図６に示すステップＳＴ３０１〜ステップＳＴ３０５およびステップＳＴ３０８は、図７のステップＳＴ４０１〜ステップＳＴ４０５およびステップＳＴ４０８にそれぞれ対応し、同一の内容である。
【００８５】
ステップＳＴ４０５において、録画予約候補番組と同一内容の番組の保存数と録画予約数との合計数が、設定数以上であると番組情報判断部４ｂが判断した場合に、ステップＳＴ４１０に進む。ステップＳＴ４１０において番組情報判断部４ｂは、録画予約候補番組と同一内容の番組の保存数と録画予約数との合計数が設定数以上であり録画予約を行わない旨を報知部１５に報知させ、ステップＳＴ４０８に進む。
【００８６】
なお、録画予約候補番組と同一内容の番組の保存数と録画予約数との合計数が設定数以上であったとしても、録画予約候補番組の録画をさらに行う設定をユーザが予め設定していた場合、ステップＳＴ４１０において録画予約候補番組と同一内容の番組の保存数と録画予約数との合計数が設定数以上である旨に加え、録画予約候補番組の録画予約を行う旨を報知部１５に報知させ、ステップＳＴ４０３に進むようにしてもよい。
【００８７】
ここで、図６のフローチャートのステップＳＴ３０５またはステップＳＴ３０７のステップを実行させるか否かについては、ユーザが録画装置２０３に対して任意に設定することができる。ユーザがステップＳＴ３０５のステップを実行させないと予め設定したときは、図４のフローチャートと同様の処理を行う。ステップＳＴ３０７のステップを実行させないと予め設定したときは、図７のフローチャートの処理を行う。また、ステップＳＴ３０５およびステップＳＴ３０７のステップを実行させるとした場合であっても、ステップＳＴ３０７においてユーザが実行内容を予め設定をしておくことで、報知部１５による報知および入力部１０による入力を省略することもできる。なお、ステップＳＴ３０７はステップＳＴ３０５に付随するステップであるため、ステップＳＴ３０５を実行させない場合、ステップＳＴ３０７も実行されない。
【００８８】
以上のとおり、本発明の実施の形態３に係る録画予約装置１０３または録画装置２０３によると、番組情報判断部４ｂは、録画予約候補番組と同一内容の番組の保存数と録画予約数との合計数が、設定数未満であるか否かを判断し、録画予約管理部５は、番組情報判断部４ｂが録画予約候補番組と同一内容の番組の保存数と録画予約数との合計数について設定数未満であると判断した場合に、録画予約候補番組の録画予約を行うことを特徴としている。
【００８９】
また、本発明の実施の形態３に係る録画予約方法または録画方法によると、番組情報判断部４ｂが、録画予約候補番組と同一内容の番組の保存数と録画予約数との合計数について設定数未満であるか否かを判断し、録画予約管理部５が、番組情報判断部４ｂで録画予約候補番組と同一内容の番組の保存数と録画予約数との合計数について設定数未満であると判断された場合に、録画予約候補番組の録画予約を行うことを特徴としている。
【００９０】
このような構成によれば、録画予約候補番組と同一内容の番組の保存数と録画予約数との合計数について設定数未満であると番組情報判断部４ｂが判断した場合に、録画予約候補番組の録画予約を行うため、録画済み番組もしくは録画予約済み番組と同一内容の番組について、ユーザの所望の数の番組を記憶部１に保存することができる。よって、記憶部１の記憶領域を必要以上に占有してしまうことを防ぐ効果が得られる。
【００９１】
また、本発明の実施の形態３に係る録画予約装置１０３または録画装置２０３によると、合計数について設定数以上であると番組情報判断部４ｂで判断された場合に、合計数について設定数以上である旨の報知を行う報知部１５を備える構成とすることもできる。
【００９２】
また、本発明の実施の形態３に係る録画予約方法または録画方法によると、報知部１５が、合計数について設定数以上であると番組情報判断部４ｂで判断された場合に、合計数について設定数以上である旨の報知を行うとすることもできる。
【００９３】
このような構成によれば、合計数について設定数以上であると番組情報判断部４ｂで判断された場合に、合計数について設定数以上である旨をユーザに報知することができる。よって、ユーザは録画予約候補番組と同一内容の番組の保存数と録画予約数との合計数が設定数に達していることを容易に把握できる。
【００９４】
また、本発明の実施の形態３に係る録画予約装置１０３または録画装置２０３によると、録画予約候補番組の録画予約を行わせるか否かの判断を求める報知を行う報知部１５と、録画予約候補番組の録画予約を行わせるか否かの判断を受ける入力部１０とを備え、報知部１５は、番組情報判断部４ｂが録画予約候補番組と同一内容の番組の保存数と録画予約数との合計数について設定数以上であると判断した場合に、録画予約候補番組の録画予約を行わせるか否かの判断を求める報知を行い、録画予約管理部５は、入力部１０から録画予約を行う旨の入力がなされた場合に、録画予約候補番組の録画予約を行う構成とすることもできる。
【００９５】
また、本発明の実施の形態３に係る録画予約方法または録画方法によると、報知部１５が、番組情報判断部４ｂで録画予約候補番組と同一内容の番組の保存数と録画予約数との合計数について設定数以上であると判断された場合に、録画予約候補番組の録画予約を行わせるか否かの判断を求める報知を行い、入力部１０が、録画予約候補番組の録画予約を行わせるか否かの判断を受け、録画予約管理部５が、入力部１０から録画予約を行う旨の入力がなされた場合に、録画予約候補番組の録画予約を行うとすることもできる。
【００９６】
このような構成によれば、録画予約候補番組と同一内容の番組の保存数と録画予約数との合計数について設定数以上であると番組情報判断部４ｂが判断したとしても、ユーザが録画予約候補番組についてさらに録画を行うか否かを決定できるため、ユーザの利便性が向上する。
【００９７】
なお、本発明は、発明の範囲内において、各実施の形態を自由に組み合わせることや、各実施の形態を適宜、変形、省略することが可能である。
【符号の説明】
【００９８】
１０１、１０２、１０３  録画予約装置、２０１、２０２、２０３  録画装置、１  記憶部、３  番組情報取得部、４、４ａ、４ｂ  番組情報判断部、５  録画予約管理部、１０  入力部、１５  報知部
【図１】
0006439470.tif 000002
【図２】
0006439470.tif 000003
【図３】
0006439470.tif 000004
【図４】
0006439470.tif 000005
【図５】
0006439470.tif 000006
【図６】
0006439470.tif 000007
【図７】
0006439470.tif 000008